(57)【要約】【課題】  導尿バッグが人目につくことを防止し、この種のバッグが露出することによる不利益を一掃すると共に、尿の観察を簡単且つ楽にし、使い勝手を良くする。【解決手段】  閉鎖式導尿バッグ１に被せて装着する導尿バッグ１用のカバーである。導尿バッグ１の前面の目盛１ａに対応する前側部分２を捲り操作自在に形成する。また本発明は、捲り操作後に、この前側部分２を仮止めするための止め具５を備えて形成する。この場合本発明は、前側部分２を前垂れ状に形成し、止め具５を、この前側部分２を巻き上げ後に下から上方後側に返して前側部分２を束ねるため前側部分２の後面上端から垂れ下げる帯片５ａと、この帯片５ａの下端の一方の面状ファスナー６ａを止め付けるため前側部分２の前面上端の中央位置に設ける他方の面状ファスナー６ｂとで形成するのが好ましい。【選択図】        図１
2009118875.tif 000002
【特許請求の範囲】
【請求項１】
閉鎖式導尿バッグに被せて装着する導尿バッグ用のカバーであって、上記の導尿バッグの前面の目盛に対応する前側部分が捲り操作自在に形成され、捲り操作後に、この前側部分を仮止めするための止め具を備えて形成されていることを特徴とする導尿バッグ用のカバー。
【請求項２】
請求項１記載の導尿バッグ用のカバーであって、前側部分が前垂れ状に形成され、止め具が、この前側部分を巻き上げ後に下から上方後側に返して前側部分を束ねるため前側部分の後面上端から垂れ下げられている帯片と、この帯片の下端の一方の面状ファスナーを止め付けるため前側部分の前面上端の中央位置に設けられている他方の面状ファスナーとで形成されていることを特徴とする導尿バッグ用のカバー。
【請求項３】
請求項２記載の導尿バッグ用のカバーであって、前側部分が、その左右何れか一方の上端部がカバー本体の前面の上部に着脱自在に形成され、この上端部を介して前側部分が左右何れか一方の側に横開き可能に形成されていることを特徴とする導尿バッグ用のカバー。
【請求項４】
請求項１記載の導尿バッグ用のカバーであって、前側部分が左右何れか一方の側に横開き状に形成され、止め具が、前側部分の開放端側の上端部の前面に設けられている一方の止め付け部材と、前側部分を側方に折り返したとき、一方の止め付け部材と対応するカバー本体の上端部の前面位置に設けられている他方の止め付け部材とで形成されていることを特徴とする導尿バッグ用のカバー。
【請求項５】
閉鎖式導尿バッグに被せて装着する導尿バッグ用のカバーであって、カバー本体の前面の全体が前垂れ状に形成され、巻き上げられたカバー本体の前面を仮止めする止め具を備え、またカバー本体の両肩部が、上記の導尿バッグの両方の肩部を被覆して導尿バッグに装着可能に形成されると共に、導尿バッグの後側において連結自在に形成されていることを特徴とする導尿バッグ用のカバー。
【発明の詳細な説明】
【技術分野】
【０００１】
本発明は導尿バッグ用のカバーに関し、更に詳しくは導尿バッグを隠して人目に付くことを防止し、且つ必要時は簡単にバッグの目盛等を確認できるよう形成した導尿バッグ用のカバーに関するものである。
【背景技術】
【０００２】
従来この種のカバーとしては、例えば前面に透明部分を設けると共に、この透明部分を隠すカバーを設け、また下端に開口部を設け、この開口部から導尿バッグの導尿管を取り出すことができるよう形成した袋が知られている（例えば特許文献１参照）。
【０００３】
ところで病院等で使用されている閉鎖式導尿バッグは、尿の色や量等を外部から観察できるよう、通常、透明の樹脂材で形成されている。
そのため従来は、導尿バッグが見舞い客や他の患者等の目に触れ易かったから、患者のプライバシーを損ね、また患者に対し、例えばキャスターの付いた架台に導尿バッグをぶら下げて病室から出ることに抵抗感を与えるものであった。
【０００４】
而して特許文献１に記載の従来品は、この種の問題を解消できるものの、上記の通り、この従来品は袋の前面に透明部分を設け、この透明部分をカバーで覆い、カバーを持ち上げて導尿バッグの目盛や尿の色などを、透明部分を介して視認する構造であった。
従ってこの従来品によると、透明部分が汚れている場合や、透明部分の光の反射具合によっては尿を観察し難い、という問題点があった。またこの従来品の場合は、尿量等の観察時にカバーを持ち上げていなければならない煩わしさがあり、また透明部分が汚れたら掃除する必要があり、使い勝手が悪いものであった。
【特許文献１】特開２００１−８７２９８号公報
【発明の開示】
【発明が解決しようとする課題】
【０００５】
本発明は、このような従来品の問題点に鑑み、提案されたものである。
従って本発明の解決しようとする技術的課題は、導尿バッグが人目につくことを防止でき、この種のバッグが露出することによる不利益を一掃できると共に、尿の観察を簡単且つ楽にでき、使い勝手が良くなるよう形成した導尿バッグ用のカバーを提供することにある。
【課題を解決するための手段】
【０００６】
本発明は、上記の課題を解決するため、次のような技術的手段を採る。
即ち本発明は、図１等に示されるように、閉鎖式導尿バッグ１に被せて装着する導尿バッグ１用のカバーであって、上記の導尿バッグ１の前面の目盛１ａに対応する前側部分２が捲り操作自在に形成され、捲り操作後に、この前側部分２を仮止めするための止め具５を備えて形成されていることを特徴とする（請求項１）。
【０００７】
本発明品の材質としては、例えば布、樹脂シート、防水加工が施された紙などがある。布の場合は洗濯が可能で繰り返し使用できる利点がある。また本発明品は、樹脂シートや紙等で使い捨て式に形成されているのでも良い。また本発明品は、表面が着色されたり、柄や模様が施されているのでも良い。なおこの場合は、尿の色や性状の観察に支障を与えないよう、色等を選定するのが好ましい。目盛１ａに対応する前側部分２は、例えば導尿バッグ１の目盛１ａが左右方向の中央、或いは左寄り、又は右寄りの場合は、この目盛１ａの位置に対応して中央、或いは左又は右寄りの位置になる。また本発明の場合、止め具５は、例えば雌雄の面状ファスナーや、ボタンとボタン孔、或いは雌雄のホックなどで構成される。
【０００８】
而して本発明の場合は、前側部分２が前垂れ状に形成され、止め具５が、この前側部分２を巻き上げ後に下から上方後側に返して前側部分２を束ねるため前側部分２の後面上端から垂れ下げられている帯片５ａと、この帯片５ａの下端の一方の面状ファスナー６ａを止め付けるため前側部分２の前面上端の中央位置に設けられている他方の面状ファスナー６ｂとで形成されているのが好ましい（請求項２）。
なぜならこれによると、前側部分２を巻き上げ、帯片５ａと面状ファスナー６ａ、６ｂとで前側部分２を簡単、迅速に仮止めでき、使い勝手が一層良くなることからである。
【０００９】
またこの場合は、前側部分２が、その左右何れか一方の上端部がカバー本体３の前面の上部に着脱自在に形成され、この上端部を介して前側部分２が左右何れか一方の側に横開き可能に形成されているのでも良い（請求項３）。
なぜならこれによると、前側部分２を横開きできるため、導尿バッグ１への着脱操作、ひいては尿の廃棄処理等を、容易に且つ迅速に行なうことができることからである。
【００１０】
また本発明は、図７等に示されるように、前側部分２が左右何れか一方の側に横開き状に形成され、止め具５が、前側部分２の開放端側の上端部の前面に設けられている一方の止め付け部材８ａと、前側部分２を側方に折り返したとき、一方の止め付け部材８ａと対応するカバー本体３の上端部の前面位置に設けられている他方の止め付け部材８ｂとで形成されているのでも良い（請求項４）。
なぜならこれによると、前側部分２を横開きすることで、簡単且つ迅速に尿量等を観察できることからである。なお止め付け部材８ａ、８ｂとしては、例えば雌雄の面状ファスナーや、ボタンとボタン孔、或いは雌雄のホックなどがある。
【００１１】
更に本発明の課題を達成する他の構成としては、図１１等に示されるものがある。
この本発明は、閉鎖式導尿バッグ１に被せて装着する導尿バッグ１用のカバーであって、カバー本体３の前面の全体が前垂れ状に形成され、巻き上げられたカバー本体３の前面を仮止めする止め具５を備え、またカバー本体３の両肩部９が、上記の導尿バッグ１の両方の肩部を被覆して導尿バッグ１に装着可能に形成されると共に、導尿バッグ１の後側において連結自在に形成されているものである（請求項５）。
なおカバー本体３の材質や止め具５の種類は、上例と同様である。
【発明の効果】
【００１２】
本発明は、このように導尿バッグの前面の目盛に対応する前側部分が捲り操作自在に形成され、捲り操作後に、この前側部分を仮止めするための止め具を備えて形成されているものである。
従って本発明によれば、導尿バッグが人目につくことを防止でき、この種のバッグが露出することによる不利益を一掃でき、また尿の観察が容易になり、使い勝手が良くなるものである。
【発明を実施するための最良の形態】
【００１３】
以下、本発明を実施するための最良の形態を説明する。
本発明は、図１等に示されるように、閉鎖式導尿バッグ１に被せて装着する導尿バッグ１用のカバーである。本発明品は、同図に示されるように、上記の導尿バッグ１の前面の目盛１ａに対応する前側部分２が、捲り操作自在に形成されている。前側部分２は、この実施形態では前垂れ状に形成されている。
【００１４】
また前側部分２は、この実施形態では正面から見て右側の上端部がカバー本体３の前面の右側の上部に着脱自在に形成され、左側に捲り返すことで横開き可能に形成されている。この場合、前側部分２は、右側の上端部の裏面に設けられている面状ファスナー４ａが、対応するカバー本体３の前面位置に設けられている面状ファスナー４ｂに付けられることで着脱されるものである。カバー本体３は、この実施形態では尿の観察に支障のない、例えば白色や淡い緑色等の布で形成され、上辺の中央部３ａが所要の長さだけあけられ、前後の生地３ｂ、３ｃがミシン等で縫い合わされ、前側部分２は図１において左側上部３ｄが前側の生地３ｂに縫い付けられている。
【００１５】
また本発明品は、前側部分２を捲り操作後に、この前側部分２を仮止めするための止め具５を備えて形成されている。この止め具５は、前側部分２を巻き上げ後に下から上方後側に返して前側部分２を束ねるため前側部分２の後面上端から垂れ下げられている帯片５ａと、この帯片５ａの下端の一方の面状ファスナー６ａを止め付けるため前側部分２の前面上端の中央位置に設けられている他方の面状ファスナー６ｂとで形成されている。なお７は、導尿バッグ１を懸吊するための架台である。
【００１６】
次に本発明の使用例を、図６等に従って説明する。
先ず作業者は、導尿バッグ１に本発明品を上から被せる。この場合、使用者は、導尿バッグ１に被せ易くなるよう、面状ファスナー４ａ、４ｂの鈎着状態を解除して前側部分２を、横にまくって前側を開いて行なうのが良い（図３、図５、図６Ｂ参照）。導尿バッグ１の導尿管１ｂは、カバー本体３の中央部３ａの開口から引き出されて配置される。
【００１７】
而して本発明品は、常時は、図６Ｃに示されるように、前側部分２を閉じ、導尿バッグ１を覆った状態で使用する。そして尿量等の観察時は、図１、図２、図６Ｄに示されるように、前側部分２をたくし上げ、帯片５ａを巻き付けて、この帯片５ａの下端の一方の面状ファスナー６ａを他方の面状ファスナー６ｂに付け、前側部分２をカバー本体３の上端部に横向きに配置する。これにより、前側部分２に対応するカバー本体３の前側が開口し、導尿バッグ１の目盛１ａが露出する。従って本発明の場合は、この箇所から看護従事者が、直接、導尿バッグ１の目盛１ａを読み、また尿の色などを観察して使用する。
【００１８】
以上の処において、本発明は、例えば図７〜図１０に示されるように、形成されているのでも良い。上例と同一部材、同一箇所については、同一の符号を付し、詳しい説明は省略する。
【００１９】
即ちこの本発明は、前側部分２が左右何れか一方の側に横開き状に形成され、止め具５が、前側部分２の開放端側の上端部の前面に設けられている一方の止め付け部材８ａと、前側部分２を側方に折り返したとき、一方の止め付け部材８ａと対応するカバー本体３の上端部の前面位置に設けられている他方の止め付け部材８ｂとで形成されている。止め付け部材８ａ、８ｂは、この実施形態では雌雄の面状ファスナーで形成されている。
前側部分２は、上例と同様、面状ファスナー４ａ、４ｂでカバー本体３の前面に止め付け自在に形成されている。
【００２０】
而してこの本発明品の場合は、常時は、図９に示されるように、前側部分２を閉じ、尿量等の観察時は、図８、図１０に示されるように、前側部分２を横開きし、一方の止め付け部材８ａを他方の止め付け部材８ｂに止め付け、前側部分２を仮止めして尿量等を観察する。
【００２１】
次に請求項５に記載の本発明品の好適な一実施形態を、図１１〜図１４に従って説明する。上例と同一部材、同一箇所には同一の符号を付し、詳しい説明は省略する。
【００２２】
この本発明品は、上例と同様、閉鎖式導尿バッグ１に被せて装着する導尿バッグ１用のカバーである。而してこの本発明品は、図１１、図１２等に示されるように、カバー本体３の前面の全体が前垂れ状に形成されている。そして巻き上げられたカバー本体３の前面を仮止めする止め具５を備えて形成されている。
【００２３】
止め具５は、上例と同様、前面を巻き上げ後に下から上方後側に返してカバー本体３の前面を束ねるため前面の後面上端から垂れ下げられている帯片５ａと、この帯片５ａの下端の一方の面状ファスナー６ａを止め付けるため、前面の上端の中央位置に設けられている他方の面状ファスナー６ｂとで形成されている。
【００２４】
またこの本発明品は、カバー本体３の両肩部９が、上記の導尿バッグ１の両方の肩部を被覆して導尿バッグ１に装着可能に形成されると共に、導尿バッグ１の後側において連結自在に形成されている。カバー本体３の両肩部９は、この実施形態ではカバー本体３の両側の上部が後側に回され、上縁３ｅが縫い合わされ、導尿バッグ１の肩部を被覆可能に形成されている。導尿バッグ１の後側は、カバー本体３の両肩部９を形作る後片３ｆの重合する内端に一対の面状ファスナー１０が取り付けられ、これにより連結可能に形成されている。
【００２５】
次にこの本発明の使用例を説明する。
先ず使用者は、カバー本体３の両肩部９を導尿バッグ１の両方の肩部に被せ、次にカバー本体３の両肩部９を形作る後片３ｆの内端の面状ファスナー１０同士を止め付け、カバー本体３の両肩部９を連結して本発明品を導尿バッグ１に装着する。尿量等の観察時は、図１２、図１４に示されるように、使用者はカバー本体３の前面の全体を巻き上げ、帯片５ａを下から上方に回し、一方の面状ファスナー６ａを他方の面状ファスナー６ｂに止め付け、カバー本体３の前面を仮止めする。
【００２６】
なおこの本発明の場合、カバー本体３の両肩部９を導尿バッグ１の後側において連結する仕方としては、例えば図１５に示されるように構成されるのでも良い。この実施形態の本発明品は、カバー本体３の両肩部９を形成する後片３ｆの内端に、紐１１を垂らし、この紐１１を結ぶことで連結可能に形成されているものである。
【図面の簡単な説明】
【００２７】
【図１】本発明のカバーの好適な一実施形態を示す使用状態時の要部斜視図である。
【図２】同上カバーの使用状態時の正面図である。
【図３】同上カバーの前側部分を開いた状態の斜視図である。
【図４】同上カバーの斜視図である。
【図５】同上カバーの使用状態を示す要部斜視図である。
【図６】同上カバーの使用例を示し、Ａは導尿バッグの正面図、Ｂは導尿バッグに本発明品を被せたときの正面図、Ｃは本発明品の使用時の正面図、Ｄは前側部分を巻き上げたときの正面図である。
【図７】同上カバーの他の実施形態を示す斜視図である。
【図８】図７に係る本発明品の使用状態時の要部斜視図である。
【図９】図７に係る本発明品の正面図である。
【図１０】図７に係る本発明品の前側部分を開いたときの正面図である。
【図１１】本発明品の更に他の実施形態を示す斜視図である。
【図１２】図１１に係る本発明品の使用状態時の要部斜視図である。
【図１３】図１１に係る本発明品を示し、Ａは正面図、Ｂは背面図である。
【図１４】図１１に係る本発明品の使用状態時の正面図である。
【図１５】カバー本体の両肩部の他の連結例を示し、Ａは斜視図、Ｂは背面図である。
【符号の説明】
【００２８】
１      導尿バッグ
１ａ    目盛
２      前側部分
５      止め具
【図１】
2009118875.tif 000003
【図２】
2009118875.tif 000004
【図３】
2009118875.tif 000005
【図４】
2009118875.tif 000006
【図５】
2009118875.tif 000007
【図６】
2009118875.tif 000008
【図７】
2009118875.tif 000009
【図８】
2009118875.tif 000010
【図９】
2009118875.tif 000011
【図１０】
2009118875.tif 000012
【図１１】
2009118875.tif 000013
【図１２】
2009118875.tif 000014
【図１３】
2009118875.tif 000015
【図１４】
2009118875.tif 000016
【図１５】
2009118875.tif 000017